(57)【要約】【課題】入力に使用された物体が消去具か否かをより的確に判定することのできる手書き入力装置等を提供する。【解決手段】シートを載置可能な検出面を備える圧力検出部１１と、圧力検出部からの出力を受け取る演算部２０と、検出面に対する特定の動作を検出する動作検出部２０と、を備え、演算部は、圧力検出部からの出力に基づいて、検出面に載置されたシートに接触する接触体の移動に対応する第１の動作を検出し、第１の動作と、第１の動作の後に動作検出部が検出した特定の動作とに基づいて、第１の動作が消去具による消去動作か否かを判定し、当該判定結果に基づいて、シートに対する筆記具による記入動作又は消去具による消去動作に対応する入力情報を取得する。【選択図】図３
2016201003.tif 000002
【特許請求の範囲】
【請求項１】
シートを載置可能な検出面を備える圧力検出部と、
前記圧力検出部からの出力を受け取る演算部と、
前記検出面に対する特定の動作を検出する動作検出部と、を備え
前記演算部は、前記圧力検出部からの出力に基づいて、前記検出面に載置されたシートに接触する接触体の移動に対応する第１の動作を検出し、前記第１の動作と、前記第１の動作の後に前記動作検出部が検出した前記特定の動作とに基づいて、前記第１の動作が消去具による消去動作か否かを判定し、当該判定結果に基づいて、前記シートに対する筆記具による記入動作又は消去具による消去動作に対応する入力情報を取得する、手書き入力装置。
【請求項２】
前記演算部は、前記第１の動作の特徴が消去具による消去動作の特徴と一致し、かつ、前記特定の動作が、前記第１の動作から一定時間内に行われた動作であって前記シート上から消去具による消去動作で生じた消し滓を除去する動作である場合に、前記第１の動作は消去具による消去動作であると判定する、請求項１に記載の手書き入力装置。
【請求項３】
前記演算部は、前記第１の動作が、前記接触体が往復運動する、または前記接触体が同じあるいは近接した場所で同一方向へ繰り返し移動する場合に、前記第１の動作の特徴が消去具による消去動作の特徴と一致すると判断する、請求項２に記載の手書き入力装置。
【請求項４】
前記圧力検出部と前記演算部とで前記動作検出部が構成されており、前記演算部は、前記圧力検出部の出力に基づいて、前記消し滓を除去する動作であるか否かを判別する、請求項２又は３に記載の手書き入力装置。
【請求項５】
前記演算部は、前記圧力検出部からの出力に基づいて、前記第１の動作が行われた場所およびその近傍を含むエリアで、消し滓を払い飛ばすもしくは吹き飛ばす動作に対応する動作を検出すると、当該動作を前記消し滓を除去する動作であると判断する請求項４に記載の手書き入力装置。
【請求項６】
前記動作検出部が、前記検出面の傾きを検出する傾斜検出器であり、前記演算部は、前記傾斜検出器の出力に基づいて、前記消し滓を除去する動作を判別する、請求項２又は３に記載の手書き入力装置。
【請求項７】
前記消し滓を除去する動作に対応する動作情報を１種類以上設定記憶し得る記憶部をさらに備え、前記演算部は、前記第１の動作と、前記記憶部に記憶された１種類以上の前記動作情報とに基づいて、前記第１の動作が消去具による消去動作か否かを判定する、請求項２乃至６のいずれか１つに記載の手書き入力装置。
【請求項８】
圧力検出部からの出力に基づいて、前記圧力検出部の検出面に載置されたシートに接触する接触体の移動に対応する第１の動作を検出し、
前記第１の動作と、前記第１の動作の後に検出された、前記検出面に対する特定の動作と、に基づいて、前記第１の動作が消去具による消去動作か否かを判定し、
当該判定結果に基づいて、前記シートに対する筆記具による記入動作又は消去具による消去動作に対応する入力情報を取得する、手書き入力装置の手書き入力方法。
【請求項９】
前記第１の動作の特徴が消去具による消去動作の特徴と一致し、かつ、前記特定の動作が、前記第１の動作から一定時間内に行われた動作であって、前記シート上から消去具による消去動作で生じた消し滓を除去する動作である場合に、前記第１の動作は消去具による消去動作であると判定する、請求項８に記載の手書き入力方法。
【請求項１０】
前記第１の動作が、前記接触体が往復運動する、または前記接触体が同じあるいは近接した場所で同一方向へ繰り返し移動する場合に、前記第１の動作の特徴が消去具による消去動作の特徴と一致すると判断する、請求項９に記載の手書き入力方法。
【請求項１１】
前記第１の動作が行われた場所およびその近傍を含むエリアで、消し滓を払い飛ばすもしくは吹き飛ばす動作に対応する動作を検出すると、当該動作を前記消し滓を除去する動作であると判断する、請求項９又は１０に記載の手書き入力方法。
【請求項１２】
前記第１の動作から一定時間内に、前記検出面を傾ける動作を検出すると、当該動作を前記消し滓を除去する動作であると判断する、請求項９または１０に記載の手書き入力方法。
【請求項１３】
前記第１の動作と、記憶部に記憶された１種類以上の前記消し滓を除去する動作に対応する動作情報と、に基づいて、前記第１の動作が消去具による消去動作か否かを判定する、請求項９乃至１２のいずれか１つに記載の手書き入力方法。
【請求項１４】
シートを載置可能な検出面を備える圧力検出部と、前記圧力検出部からの出力を受け取る演算部と、前記検出面に対する特定の動作を検出する動作検出部と、を備える手書き入力装置の前記演算部に、請求項８乃至１３のいずれか１つに記載の手書き入力方法を実行させるプログラム。
【発明の詳細な説明】
【技術分野】
【０００１】
本発明は、検出面上に載置された紙などのシートを介してペンなどによる入力を受け付ける手書き入力装置、手書き入力方法、プログラムに関する。
【背景技術】
【０００２】
手書き入力を受け付ける手書き入力装置では、文字や図形の書き込みを受ける機能のほかに、誤って書き込まれた文字等を消去する動作を受け付ける機能も必要になる。
【０００３】
入力が書き込み動作か消去動作かをその都度ユーザに指定させると使い勝手が良くないので、入力が書き込み動作か消去動作かを自動的に判定する技術が提案されている。
【０００４】
たとえば、入力されたストロークが、既に書き込み済の元のストロークを辿る場合、元のストロークの一定範囲内で元のストロークを逆に辿る場合、元のストロークの左右に頻繁に移動した場合、該入力されたストロークを消去動作と判定する技術がある（特許文献１参照）。
【０００５】
また、検出面に載置された紙などのシートに文字や図形を実際の筆記具で書き込むとその内容が手書きストロークとして入力される手書き入力装置では、消去動作には、シートに描かれた文字や図形を実際に消すことのできる消しゴムが使用される。消しゴムはペンや鉛筆などの筆記具に比べて、シートへの接触面積が大きいという特徴がある。そこで、この特徴を利用して、接触面積の大小に基づいて、入力に使用された物体が消しゴムか否かを判定する技術がある（たとえば、特許文献２、３参照）。
【先行技術文献】
【特許文献】
【０００６】
【特許文献１】特表２０１０−５１１２６０号公報
【特許文献２】特開２０１２−１０８６４７号公報
【特許文献３】特開２０１４−２０６９２５号公報
【発明の概要】
【発明が解決しようとする課題】
【０００７】
特許文献１、２、３に開示された方法では、入力が書き込み動作か消去動作かをある程度判定できるものの、紛らわしい場合もあり、判定を誤る可能性がある。
【０００８】
たとえば、図２５に示すように、消しゴム８で消去する動作は、所定範囲内を繰り返し往復運動するという特徴を有する。しかし、同様の特徴は、図２６に示すように、マークシートの選択欄等を筆記具６で塗りつぶす場合にも表れる。
【０００９】
また、一般的に、消しゴムはペンなどの筆記具に比べてシートへの接触面積が大きいが、消しゴムの角を使用する場合や、ペンタイプの消しゴムを使用する場合には、シートへの接触面積が小さいので、接触面積を基準とした判定のみでは、入力に使用された物体が筆記具か消しゴム等の消去具であるかを正しく判定できない。
【００１０】
本発明は、上記の問題を解決しようとするものであり、入力に使用された接触体が消去具か否かをより的確に判定することのできる手書き入力装置、手書き入力方法、プログラムを提供することを目的としている。
【課題を解決するための手段】
【００１１】
かかる目的を達成するための本発明の要旨とするところは、次の各項の発明に存する。
【００１２】
［１］シートを載置可能な検出面を備える圧力検出部と、
前記圧力検出部からの出力を受け取る演算部と、
前記検出面に対する特定の動作を検出する動作検出部と、を備え
前記演算部は、前記圧力検出部からの出力に基づいて、前記検出面に載置されたシートに接触する接触体の移動に対応する第１の動作を検出し、前記第１の動作と、前記第１の動作の後に前記動作検出部が検出した前記特定の動作とに基づいて、前記第１の動作が消去具による消去動作か否かを判定し、当該判定結果に基づいて、前記シートに対する筆記具による記入動作又は消去具による消去動作に対応する入力情報を取得する、手書き入力装置。
【００１３】
上記発明および下記［８］に記載の発明では、圧力検出部が検出した第１の動作と、その後に検出された、検出面に対する特定の動作とに基づいて、第１の動作が消去具による消去動作か否かを判定する。
【００１４】
［２］前記演算部は、前記第１の動作の特徴が消去具による消去動作の特徴と一致し、かつ、前記特定の動作が、前記第１の動作から一定時間内に行われた動作であって前記シート上から消去具による消去動作で生じた消し滓を除去する動作である場合に、前記第１の動作は消去具による消去動作であると判定する、［１］に記載の手書き入力装置。
【００１５】
上記発明および下記［９］に記載の発明では、第１の動作が消去具による消去動作の特徴を有する場合に、その後に消し滓を除去する動作が行われたら、第１の動作を消去具による消去動作であると判定する。
【００１６】
［３］前記演算部は、前記第１の動作が、前記接触体が往復運動する、または前記接触体が同じあるいは近接した場所で同一方向へ繰り返し移動する場合に、前記第１の動作の特徴が消去具による消去動作の特徴と一致すると判断する、［２］に記載の手書き入力装置。
【００１７】
［４］前記圧力検出部と前記演算部とで前記動作検出部が構成されており、前記演算部は、前記圧力検出部の出力に基づいて、前記消し滓を除去する動作であるか否かを判別する、［２］又は［３］に記載の手書き入力装置。
【００１８】
［５］前記演算部は、前記圧力検出部からの出力に基づいて、前記第１の動作が行われた場所およびその近傍を含むエリアで、消し滓を払い飛ばすもしくは吹き飛ばす動作に対応する動作を検出すると、当該動作を前記消し滓を除去する動作であると判断する［４］に記載の手書き入力装置。
【００１９】
上記発明および下記［１１］に記載の発明では、消し滓を払い飛ばすもしくは吹き飛ばす動作が、消去具による消去動作の特徴を有する第１の動作から一定時間内、かつ、第１の動作が行われた場所およびその近傍のエリアで行われた場合に、第１の動作を消去具による消去動作と判定する。
【００２０】
［６］前記動作検出部が、前記検出面の傾きを検出する傾斜検出器であり、前記演算部は、前記傾斜検出器の出力に基づいて、前記消し滓を除去する動作を判別する、［２］又は［３］に記載の手書き入力装置。
【００２１】
上記発明および下記［１２］に記載の発明では、手書き入力装置を傾ける動作が、消去具による消去動作の特徴を有する第１の動作から一定時間内に行われた場合に、第１の動作を消去具による消去動作と判定する。
【００２２】
［７］前記消し滓を除去する動作に対応する動作情報を１種類以上設定記憶し得る記憶部をさらに備え、前記演算部は、前記第１の動作と、前記記憶部に記憶された１種類以上の前記動作情報とに基づいて、前記第１の動作が消去具による消去動作か否かを判定する、［２］乃至［６］のいずれか１つに記載の手書き入力装置。
【００２３】
上記発明および下記［１３］に記載の発明では、消し滓を除去する動作が複数種類あるような場合に、その中の１種類以上を、ユーザが使用する消し滓の除去動作として登録する。手書き入力装置は、消去具による消去動作の特徴を有する第１の動作の後に、登録されている消し滓の除去動作が行われるか否かを判定すればよい。
【００２４】
［８］圧力検出部からの出力に基づいて、前記圧力検出部の検出面に載置されたシートに接触する接触体の移動に対応する第１の動作を検出し、
前記第１の動作と、前記第１の動作の後に検出された、前記検出面に対する特定の動作と、に基づいて、前記第１の動作が消去具による消去動作か否かを判定し、
当該判定結果に基づいて、前記シートに対する筆記具による記入動作又は消去具による消去動作に対応する入力情報を取得する、手書き入力装置の手書き入力方法。
【００２５】
［９］前記第１の動作の特徴が消去具による消去動作の特徴と一致し、かつ、前記特定の動作が、前記第１の動作から一定時間内に行われた動作であって、前記シート上から消去具による消去動作で生じた消し滓を除去する動作である場合に、前記第１の動作は消去具による消去動作であると判定する、［８］に記載の手書き入力方法。
【００２６】
［１０］前記第１の動作が、前記接触体が往復運動する、または前記接触体が同じあるいは近接した場所で同一方向へ繰り返し移動する場合に、前記第１の動作の特徴が消去具による消去動作の特徴と一致すると判断する、［９］に記載の手書き入力方法。
【００２７】
［１１］前記第１の動作が行われた場所およびその近傍を含むエリアで、消し滓を払い飛ばすもしくは吹き飛ばす動作に対応する動作を検出すると、当該動作を前記消し滓を除去する動作であると判断する、［９］又は［１０］に記載の手書き入力方法。
【００２８】
［１２］前記第１の動作から一定時間内に、前記検出面を傾ける動作を検出すると、当該動作を前記消し滓を除去する動作であると判断する、［９］または［１０］に記載の手書き入力方法。
【００２９】
［１３］前記第１の動作と、記憶部に記憶された１種類以上の前記消し滓を除去する動作に対応する動作情報と、に基づいて、前記第１の動作が消去具による消去動作か否かを判定する、［９］乃至［１２］のいずれか１つに記載の手書き入力方法。
【００３０】
［１４］シートを載置可能な検出面を備える圧力検出部と、前記圧力検出部からの出力を受け取る演算部と、前記検出面に対する特定の動作を検出する動作検出部と、を備える手書き入力装置の前記演算部に、［８］乃至［１３］のいずれか１つに記載の手書き入力方法を実行させるプログラム。
【発明の効果】
【００３１】
本発明に係る手書き入力装置および手書き入力方法、プログラムによれば、入力に使用された接触体が消去具か否かをより的確に判定することができる。
【図面の簡単な説明】
【００３２】
【図１】本発明の実施の形態に係る手書き入力装置の外観および使用状態の一例を示す図である。
【図２】手書き入力装置の検出面に載置したシートに文字を書き込み、その一部を消しゴムで消す様子およびその時得られる描画データの一例を示す図である。
【図３】本発明の実施の形態に係る手書き入力装置の電気的な概略構成を示している。
【図４】ユーザが筆記具でシートに文字等を手書きする様子の一例を示す図である。
【図５】シートに書かれている文字等をユーザが消しゴムで消す様子の一例を示す図である。
【図６】各種の接触体が圧力検出パネル部の検出面を押圧したときに圧力検出パネル部が検出する単位面積当たりの圧力を示している。
【図７】各種の接触体が圧力検出パネル部の検出面を押圧したときに圧力検出パネル部が検出する各接触体の面積（接触面積）の大小と単位面積当たりの圧力の大小の関係を示す図である。
【図８】ユーザが筆記具で文字等を手書きする際に圧力検出パネル部が検出した圧力分布の一例を示す図である。
【図９】ユーザが消しゴム等の消去具で文字等を消す際に圧力検出パネル部が検出した圧力分布の一例を示す図である。
【図１０】ユーザが消しゴムの角を使って文字等を消す際に圧力検出パネル部が検出した圧力分布の一例を示す図である。
【図１１】消去具の動き（往復運動）の特徴を示す図である。
【図１２】消去具の動き（単一方向への繰り返し移動）の特徴を示す図である。
【図１３】手で消し滓を払い飛ばす動作を例示する図である。
【図１４】消しゴム推定領域と、消し滓を払い飛ばすもしくは吹き飛ばす動作で圧力が検知される領域との位置関係を例示する図である。
【図１５】消し滓が落下するように手書き入力装置を傾ける動作を示す図である。
【図１６】手書き入力装置が、圧力検出パネル部の検出した第１の動作が消去具による消去動作か否かを判定する処理を示す流れ図である。
【図１７】消し滓除去動作の判定処理（図１６のステップＳ１０３）の一例を示す流れ図である。
【図１８】消し滓除去動作の判定処理（図１６のステップＳ１０３）の他の一例を示す流れ図である。
【図１９】接触体による接触を検出した手書き入力装置の動作を示す流れ図である。
【図２０】図１９の続きを示す流れ図である。
【図２１】消しゴムモードでの処理を示す流れ図である。
【図２２】ペンモードでの処理を示す流れ図である。
【図２３】指モードでの処理を示す流れ図である。
【図２４】手のひらモードでの処理を示す流れ図である。
【図２５】消しゴムで消す様子を示す図である。
【図２６】ペンでマークシートを塗りつぶす様子を示す図である。
【発明を実施するための形態】
【００３３】
以下、図面に基づき本発明の実施の形態を説明する。
【００３４】
図１は、本発明の実施の形態に係る手書き入力装置１０の外観および使用状態の一例を示している。手書き入力装置１０は、矩形の平板状を成し、その一方の面は周縁を除いて、筆記具、消去具、手のひら、指などの接触体によって押下されている場所および圧力を検出する圧力検出パネル部１１の検出面１１ａになっている。
【００３５】
手書き入力装置１０は、圧力検出パネル部１１の検出面１１ａに紙などのシート５を載置して使用される。ユーザは、図２（Ａ）に示すように、手書き入力装置１０の圧力検出パネル部１１の検出面１１ａに載置したシート５に鉛筆などの筆記具６で文字や図形などを書き込む。また、図２（Ｂ）に示すように、シート５に記入した文字や図形を消す場合、ユーザは、消しゴム等の消去具８を使用する。本実施の形態に係る消去具８は、消去動作を行った際にシート上に廃棄物（消し滓）が生じるものとする。消しゴムのほか、砂けし、あるいは紙を削るヤスリタイプの消去具も含まれる。
【００３６】
手書き入力装置１０の圧力検出パネル部１１は、ユーザが筆記具６でシート５に文字等を記入したり、消去具８で文字等を消したりする際に、筆記具６や消去具８、ユーザの手のひら、指先などが検出面１１ａを押圧している場所（座標）とその圧力を検出する。手書き入力装置１０は、圧力検出パネル部１１の出力から得られる各接触体に関する検出情報（接触体の接触面積、単位面積当たりの圧力、動きなど）に基づいて、接触体の種類（筆記具であるか、消去具であるか等）を判定し、該検出情報を、判定結果が示す種類に対応する入力モードで処理する。
【００３７】
たとえば、筆記具と判定した場合は、押圧された箇所に対応する描画データを生成し、筆記具による記入動作に対応する入力情報を取得する。また、消去具と判定した場合は、消去具による消去動作に対応する入力情報を取得し、押圧された箇所に存在している描画データを消去する処理を行う。図２（Ｃ）は、筆記具６で図２（Ａ）に示す手書き入力（記入動作）を受けた後、消去具８で図２（Ｂ）に示す消去動作を受けた場合に得られるビットマップ形式の描画データを示している。図２（Ｃ）では、消去具８によって消去された部分を破線の円９で模擬的に示してある。
【００３８】
図３は、手書き入力装置１０の電気的な概略構成を示している。手書き入力装置１０は、各デバイスとの間で信号のやり取りを行って各デバイスの制御を行う制御部として機能するとともに、各デバイスから得られた信号に基づいて演算を実行し必要な判断を行う演算部としても機能するＣＰＵ（Central Processing Unit）１２を備えている。ＣＰＵ１２には、圧力検出パネル部１１、フラッシュＲＯＭ（Read Only Memory）１３、ＲＡＭ（Random Access Memory）１４、記録媒体接続部１５、通信部１６、傾き検出部１７などが接続されている。
【００３９】
フラッシュＲＯＭ１３には、プログラムや各種のデータが保存される。
【００４０】
ＣＰＵ１２がフラッシュＲＯＭ１３に格納されているプログラムを実行することで手書き入力装置１０としての機能が実現される。ＣＰＵ１２は、接触体の種類を判定する判定部、圧力検出パネル部１１が検出した検出情報を判定部の判定結果に応じた入力モードで処理する処理部としての機能を果たす。ＲＡＭ１４は、ＣＰＵ１２がプログラムを実行する際に各種のデータを一時的に格納するためのワークメモリとして使用される。ＲＡＭ１４には、前述した描画データが記憶される。
【００４１】
記録媒体接続部１５には、ＳＤ(Secure Digital)カード２１などの可搬型記録媒体が着脱可能に接続される。手書き入力装置１０は、描画データをファイルとして記録媒体接続部１５に接続されたＳＤカード２１に書き出すことができる。
【００４２】
通信部１６は、無線通信によって外部装置と通信する。たとえば、外部のデータ保存サーバ２２にファイル化した描画データを送信し、該描画データをデータ保存サーバ２２に保存させる。
【００４３】
圧力検出パネル部１１は、押圧された場所（座標）と押圧された圧力を検出する、いわゆる、感圧式のタッチパネルである。圧力検出パネル部１１は、同時に複数個所に対する押圧を検出することができる。圧力検出パネル部１１による検出は、０．０５秒などの短時間毎に繰り返し行われる。筆記具６等を移動させて文字などを記入した場合、１回の検出では、筆記具６の先端の接触部分に対応した領域で押圧が検出される。この検出を繰り返し行うことで、筆記具６の動き（軌跡）が認識される。ここでは、圧力検出パネル部１１としてデジタル抵抗膜式のタッチパネルを用いている。
【００４４】
傾き検出部１７は、加速度センサ等を含む傾斜検出器を備えており、手書き入力装置１０がある状態から傾けられたことを検知して、ＣＰＵ１２に信号を出力する。角度に閾値を設定し、傾き検出部１７から手書き入力装置１０（延いては検出面１１ａ）の傾き角度の情報をＣＰＵ２０に出力し、ＣＰＵ２０において、閾値角度を超える傾きを確認した場合に、検出面１１ａが傾いたと判断するようにしてもよい。
【００４５】
次に、圧力検出パネル部１１の出力から得られる検出情報から読み取れる、ペンや鉛筆などの筆記具６、消しゴムなどの消去具８、手のひら、指の各特徴について説明する。
【００４６】
図４は、ユーザが、筆記具６でシート５に文字等を手書きする様子の一例を示している。通常、ユーザは、一方の手で筆記具６を持って文字等を手書きしているときに、他方の手でシート５を軽く押さえる（あるいは他方の手をシート５に添える）。
【００４７】
図５は、シート５に書かれている文字等を消しゴムなどの消去具８で消す様子の一例を示している。通常、ユーザは、一方の手で消去具８を持って文字等を消しているときに、他方の手で強くシート５を押さえる。
【００４８】
シート５を他方の手で押さえる強さは、筆記具６で文字等を手書きする場合よりも、消去具８で文字等を消す場合の方が大きい。また、多くのユーザは、筆記具６を持った手の一部をシート５の上に置きながら文字を書く。一方、多くのユーザは、消去具８で文字等を消すときは、消去具８を持つ手をシート５から浮かしており、消去具８を持つ手をシート５の上に置くことはほとんどない。
【００４９】
図６は、各種の接触体が圧力検出パネル部１１の検出面１１ａを押圧したときに圧力検出パネル部１１が検出する単位面積当たりの圧力を示している。単位面積当たりの圧力が最も大きいのは、ペンや鉛筆、メカニカルペンシルなどの筆記具６であり、次に大きいのは消しゴムなどの消去具８である。その次に単位面積当たりの圧力が大きいのは指であり、単位面積当たりの圧力が最も小さいのは手のひらである。
【００５０】
筆記具６による圧力は、ユーザが筆記具６でシート５に文字等を手書きしているときに、該筆記具６のペン先がシート５を介して圧力検出パネル部１１の検出面１１ａを押圧する圧力である。
【００５１】
消去具８による圧力は、ユーザが消しゴム等の消去具８でシート５上の文字等を消しているときに、該消去具８の接触部分がシート５を介して圧力検出パネル部１１の検出面１１ａを押圧する圧力である。
【００５２】
指による圧力は、ユーザが一方の手で筆記具６を持って文字等を手書きしているときあるいは消去具８を持って文字等を消しているときに、シート５を押さえている他方の手の指がシート５を介して圧力検出パネル部１１を押圧する圧力、あるいは、指でタッチ操作やフリック操作を行うときに該指がシート５を介して圧力検出パネル部１１を押圧する圧力、消しゴム等の消去具８による消去動作で生じた消し滓を指で払い飛ばす際に該指がシート５を介して圧力検出パネル部１１を押圧する圧力である。
【００５３】
手のひらによる圧力は、ユーザが筆記具６でシート５に文字等を手書きしているときに筆記具６を持っている手の手のひらがシート５を介して圧力検出パネル部１１の検出面１１ａを押圧する圧力、あるいはユーザが一方の手で筆記具６を持って文字等を手書きしているときにシート５を押さえている他方の手の手のひらがシート５を介して圧力検出パネル部１１の検出面１１ａを押圧する圧力、あるいは、ユーザが一方の手で消しゴムなどの消去具８を持って文字等を消しているときにシート５を押さえている他方の手の手のひらがシート５を介して圧力検出パネル部１１の検出面１１ａを押圧する圧力、消しゴム等の消去具８による消去動作で生じた消し滓を手のひらで払い飛ばす際に該手のひらがシート５を介して圧力検出パネル部１１を押圧する圧力である。
【００５４】
筆記具６が取り得る単位面積当たりの圧力の範囲Ａ１と、消しゴムが取り得る単位面積当たりの圧力の範囲Ｂ１には一部重複した領域ＡＢ１がある。消しゴムが取り得る単位面積当たりの圧力の範囲Ｂ１と指が取り得る単位面積当たりの圧力の範囲Ｃ１には一部重複がある。指が取り得る単位面積当たりの圧力の範囲Ｃ１と手のひらが取り得る単位面積当たりの圧力の範囲Ｄ１には一部重複がある。
【００５５】
手の指でシート５を押さえる場合の単位面積当たりの圧力は、筆記具６で文字等を書くときよりも消しゴム等の消去具８で消去動作を行う場合の方が大きくなる。
【００５６】
指が取り得る単位面積当たりの圧力の範囲Ｃ１のうち、圧力の大きい領域Ｅａは、消しゴムで消去動作を行う際にシート５を押さえる手の指によるものであり、圧力の小さい領域Ｅｂは、筆記具６で手書きする際にシート５を押さえる（あるいはシート５に添える）手の指によるものである。領域Ｅａの一部は、消しゴムが取り得る単位面積あたりの圧力の範囲Ｂ１と重複し、領域Ｅｂの一部は、手のひらが取り得る単位面積当たりの圧力の範囲Ｄ１と重複している。
【００５７】
図７は、接触体が圧力検出パネル部１１の検出面１１ａを押下したときに圧力検出パネル部１１が検出する各接触体の面積（接触面積）の大小と単位面積当たりの圧力の大小の関係を示している。
【００５８】
面積が最も小さいのは、ペンや鉛筆などの筆記具６であり、次に小さいのは消しゴムなどの消去具８である。その次に面積が小さいのは指であり、面積が最も大きいのは手のひらである。
【００５９】
筆記具６による面積は、ユーザが筆記具６でシート５に文字等を手書きしているときに、該筆記具６のペン先がシート５を介して圧力検出パネル部１１の検出面１１ａを押圧する部分の面積である。
【００６０】
消去具８による面積は、ユーザが消しゴム等の消去具８でシート５上の文字等を消しているときに、該消去具８の接触部分がシート５を介して圧力検出パネル部１１の検出面１１ａを押圧する部分の面積である。
【００６１】
指の面積は、ユーザが一方の手で筆記具６を持って文字等を手書きしているときあるいは消去具８を持って文字等を消しているときに、シート５を押さえている他方の手の指がシート５を介して圧力検出パネル部１１を押圧する部分の面積（指１本あたりの面積）、あるいは、指でタッチ操作やフリック操作を行うときに該指がシート５を介して圧力検出パネル部１１を押圧する部分の面積、消しゴム等の消去具８による消去動作で生じた消し滓を手のひらで払い飛ばす際に該手のひらがシート５を介して圧力検出パネル部１１を押圧する部分の面積である。
【００６２】
手のひらの面積は、ユーザが筆記具６でシート５に文字等を手書きしているときに筆記具６を持っている手の手のひらがシート５を介して圧力検出パネル部１１の検出面１１ａを押圧する部分の面積、あるいはユーザが一方の手で筆記具６を持って文字等を手書きしているときにシート５を押さえている他方の手の手のひらがシート５を介して圧力検出パネル部１１の検出面１１ａを押圧する部分の面積、あるいは、ユーザが一方の手で消しゴムなどの消去具８を持って文字等を消しているときにシート５を押さえている他方の手の手のひらがシート５を介して圧力検出パネル部１１の検出面１１ａを押圧する部分の面積、消しゴム等の消去具８による消去動作で生じた消し滓を手のひらがシート５を介して圧力検出パネル部１１を押圧する部分の面積である。
【００６３】
筆記具６が取り得る面積の範囲Ａ２と、消しゴムが取り得る面積の範囲Ｂ２には一部重複した領域ＡＢ２がある。消しゴムが取り得る面積の範囲Ｂ２と指が取り得る面積の範囲Ｃ２には一部重複がある。指が取り得る面積の範囲Ｃ２と手のひらが取り得る面積の範囲Ｄ２には一部重複がある。
【００６４】
図８は、ユーザが筆記具６で文字等を手書きする際に圧力検出パネル部１１が検出した圧力分布の一例を示している。図８は、図４に対応している。ペン先３１、ペンを持つ手の手のひら３２、シートを押さえる手の指３３、シートを押さえる手の手のひら３４の各箇所で圧力が検出されている。
【００６５】
図９は、ユーザが消しゴム等の消去具８で文字等を消す際に圧力検出パネル部１１が検出した圧力分布の一例を示している。図９は、図５に対応している。消しゴムの接触部分４１、シートを押さえる手の指４３、シートを押さえる手の手のひら４４の各箇所で圧力が検出されている。消しゴムを持つ手は、シートから浮いているので、該部分について圧力は検出されていない。
【００６６】
この場合、消しゴムの接触部分４１の面積は、図８に示す筆記具６のペン先３１の面積より十分に大きいので、面積の違いによって接触体が消去具８であると判定することができる。
【００６７】
図１０は、ユーザが消しゴムの角を使って文字等を消す際に圧力検出パネル部１１が検出した圧力分布の一例を示している。消しゴムの接触部分４５の面積は、図８に示すペン先３１の面積と紛らわしく、面積に基づいて接触体が消去具８であると判定することは困難である。
【００６８】
図１１、図１２は、消去具８の動きの特徴を示している。消去具８で文字等を消す場合、図１０に示すように、ユーザは、同じ箇所または近接した一定の領域で消去具８を往復運動させる。あるいは、図１１に示すように、ユーザは、同じ場所あるいは近接した一定の領域で消去具８を同一方向へ繰り返し移動させる。また、消去具８を往復運動や同一方向へ繰り返し移動させている場所の近く（たとえば、１０ｃｍ以内）でシート５を指で強く押さえる。シート５を押さえる指は静止している。
【００６９】
以上をまとめると、圧力検出パネル部１１の出力から得られる検出情報から読み取れる筆記具６、消去具８、指、手のひらの特徴は以下のようにまとめられる。特徴を構成する要素には、接触部分の面積（接触面積）、シート５を押圧する単位面積当たりの圧力、シート５上での動きなどがある。
【００７０】
面積は、筆記具＜  指・消去具  ＜  手のひら  の傾向がある。
【００７１】
圧力は、手のひら  ＜  指  ＜  消去具  ＜  筆記具の傾向がある。
【００７２】
動きについては、消去具は往復運動または一定方向への繰り返し移動という特徴がある。
【００７３】
筆記具６は、接触部分の面積が小さく、単位面積当たりの圧力が一定以上である、という特徴がある。
【００７４】
消去具８は、接触部分の面積がある程度大きく、単位面積当たりの圧力が中間レベルで、前述した特有の動きをする、という特徴がある。
【００７５】
指は、接触部分の面積がある程度大きく、単位面積当たりの圧力が若干弱いレベルで、ほぼ静止している、または、消し滓を払い飛ばす動作が行われる、あるいは単独でジェスチャーとして動くことがある、という特徴を有する。
【００７６】
手のひらは、接触部分の面積が大きく、単位面積当たりの圧力が弱く、ほぼ静止している、または、消し滓を払い飛ばす動作が行われる、という特徴がある。
【００７７】
筆記具６、消去具８などそれぞれの特徴のみでは、接触体の種類を正しく判定できない場合があることは、図６、図７で説明した通りである。
【００７８】
そこで、本実施の形態に係る手書き入力装置１０は、圧力検出パネル部１１が検出した第１の動作と、その後に手書き入力装置１０が受けた第２の動作とに基づいて、第１の動作が消去具８による消去動作か否かを判定する。具体的には、圧力検出パネル部１１が第１の動作を検出した後、第２の動作で、手書き入力装置１０の検出面に対して予め定めた特定の動作が行われたかどうかを、圧力検出パネル部１１からの出力に基づいてＣＰＵ２０で検出し、第１の動作とその後の特定の動作とに基づいて、第１の動作が消去具８による消去動作か否かを判定する。ここで、圧力検出パネル部１１及びＣＰＵ２０は、検出面１１ａに対する特定の動作を検出する動作検出部を構成する。
【００７９】
たとえば、圧力検出パネル部１１が検出した第１の動作の特徴が消去具８による消去動作の特徴と一致し、かつ、第１の動作から一定時間内（たとえば、５秒以内）に、消去具８による消去動作で生じた消し滓をシート５の上から除去する第２の動作が行われた場合に、第１の動作を消去具８による消去動作であると判定する。
【００８０】
ここで、消去具８による消去動作の特徴には、図１１、図１２で示したように、接触体が往復運動する、または、接触体が同じあるいは近接した一定範囲の場所で同一方向へ繰り返し移動する、という動きが含まれる。ＣＰＵ２０は、圧力検出パネル部１１からの出力に基づいて、これらに類似する接触体の動きを検出した場合、第１の動作の特徴が消去具８による消去動作の特徴と一致すると判断する。
【００８１】
消し滓を除去する動作には、図１３に示すように、消去具８の特徴を有する第１の動作が行われた場所（消しゴム推定領域５１）およびその近傍を含むエリア（たとえば、消しゴム推定領域５１およびその外側５ｃｍの範囲内）で行われる、手で消し滓を払い飛ばす動作がある。手で消し滓を払う動作は、圧力検出パネル部１１が圧力を検出する面積および圧力が、指または手のひらで押圧された場合に圧力検出パネル部１１が検出する面積、圧力の範囲にあり、かつ、圧力検知箇所がフリック操作を受けた場合のようにすばやく移動することが１回または複数回反復して行われるといった特徴があるので、該特徴を有するか否かに基づいて判定する。
【００８２】
また、消し滓を除去する動作には、息を吹きかけて消し滓を吹き飛ばす動作がある。該動作か否かは、圧力検出パネル部１１が検出する圧力の強さやその分布、範囲等に基づいて判断する。たとえば、息を吹きかけた場合に圧力検出パネル部１１が検出する圧力は、手のひらでタッチする場合より弱く、圧力の分布は中心が高く周囲に向かって次第に減少し、圧力を受ける部分の形状が円に近いといった特徴を有する。
【００８３】
図１４（ａ）は、消しゴム推定領域５１と消し滓を払い飛ばす動作で圧力が検知される領域５２との位置関係を、同図（ｂ）は、消しゴム推定領域５１と消し滓を吹き飛ばす動作に係る圧力が検知される領域５３との位置関係を例示している。このように、ＣＰＵ２０は、圧力検出パネル部１１からの出力に基づいて、第１の動作が行われた場所およびその近傍を含むエリアで、消し滓を払い飛ばすもしくは吹き飛ばす動作に対応する動作を検出すると、当該動作を前記消し滓を除去する動作であると判断する。
【００８４】
さらに、消し滓を除去する動作には、図１５に示すように、消し滓が落下するように手書き入力装置１０を傾ける動作などがある。この場合、圧力検出パネル部１１が第１の動作を検出した後、手書き入力装置１０が消し滓を除去すべく傾けられたかどうかを、傾き検出部１７で検出し、第１の動作とその後の特定の動作とに基づいて、第１の動作が消去具８による消去動作か否かを判定する。ここで、傾き検出部１７は、手書き入力装置１０が傾けられた場合に、それによって検出面１１ａが傾けられることで、検出面１１ａに対する特定の動作が行われたことを検出する動作検出部として機能する。
【００８５】
消し滓を除去する動作は、手書き入力装置１０を傾ける動作、手で消し滓を払う動作、息で消し滓を吹き飛ばす動作のうちの２以上の動作の複合となる場合もある。
【００８６】
どのような動作を、消し滓を除去する動作とするかは予め設定登録することができる。ここでは、消し滓を払う動作、消し滓を吹き飛ばす動作、手書き入力装置１０を傾ける動作、またはこれらの中の任意の組み合わせ、の中からユーザが選択した１種類以上の任意数の動作に対応する動作情報をフラッシュＲＯＭ１３、ＲＡＭ１４、ＳＤカード２１等の記憶部に記憶させることで、消し滓を除去する動作として予め登録することができる。
【００８７】
また、消し滓除去動作の特徴は、予め規定するほか、ユーザが実際にその動作を行ったときの圧力の状態等を学習して登録するようにしてもよい。たとえば、ユーザに消し滓を払う動作を行わせ、そのときの圧力の状況等を取得して登録するテストモードを設け、該テストモードで登録したデータとの比較によって消し滓を払う動作か否かを判定する。
【００８８】
図１６は、手書き入力装置１０の圧力検出パネル部１１で検出した第１の動作が消去具８による消去動作か否かを判定する処理の流れを示す流れ図である。手書き入力装置１０は、まず、第１の動作が消去具８による消去動作の特徴を備えた動作であるか否かの判定処理を行い（ステップＳ１０１）、第１の動作が消去具８による消去動作の特徴を備えた動作であれば（ステップＳ１０２；Ｙｅｓ）、消し滓を除去する動作に関する判定処理を行う（ステップＳ１０３）。この判定処理の判定結果が、消し滓除去動作ありならば（ステップＳ１０４；Ｙｅｓ）、第１の動作は消去具８による消去動作であると判定する（ステップＳ１０５）。
【００８９】
第１の動作が消去具８による消去動作の特徴を備えた動作でない場合（ステップＳ１０２；Ｎｏ）、または第１の動作の後に消し滓除去動作が行われない場合は（ステップＳ１０４；Ｎｏ）、第１の動作は消去具８による消去動作でないと判定する（ステップＳ１０６）。
【００９０】
消去具８による消去動作の特徴は、図１１、図１２で示したように、接触体が往復運動する、または、接触体が同じあるいは近接した一定範囲の場所で同一方向へ繰り返し移動するといったものである。
【００９１】
図１７は、消し滓除去動作の判定処理（図１６のステップＳ１０３）の一例を示す流れ図である。図１７は、消し滓を手で払う、または吹き飛ばす動作を消し滓除去動作とする場合の判定処理である。
【００９２】
消去具８による消去動作の特徴を備えた第１の動作が行われた場所（消しゴム推定領域５１）の座標データを入手する（ステップＳ１２１）。該第１の動作の終了から指定時間（たとえば、５秒）以内に（ステップＳ１２２；Ｙｅｓ）、消しゴム推定領域５１およびその近傍のエリア内で（ステップＳ１２３；Ｙｅｓ）、消し滓を払う（または吹き飛ばす）動作（ステップＳ１２４；Ｙｅｓ）を受けた場合は、返り値として消し滓除去動作有りをセットして（ステップＳ１２５）本処理を終了する。
【００９３】
消し滓を払う（または吹き飛ばす）動作を、第１の動作の終了から指定時間以内かつ消しゴム推定領域５１およびその近傍のエリア内で受けない場合は（ステップＳ１２２；Ｎｏ、Ｓ１２３；Ｎｏ、Ｓ１２４；Ｎｏ）、返り値として消し滓除去動作なしをセットして（ステップＳ１２６）本処理を終了する。
【００９４】
なお、複数個所の消去動作を続けて行った後に、消し滓をまとめて除去する動作が行われる場合もある。そこで、消去具８による消去動作の特徴を有する動作(推定消去動作)が複数個所で続けて行われた場合は、その中の最後に受けた推定消去動作から一定時間以内に消し滓を払うまたは吹き飛ばす動作が行われたか否かを調べる。そして、最後に受けた推定消去動作から一定時間以内に消し滓を払うまたは吹き飛ばす動作が行われたときは、それら複数の推定消去動作のうち、推定消去動作の行われた場所およびその近傍を含むエリア内に消し滓を払う動作または吹き飛ばす動作の行われた場所があるすべての推定消去動作を、消去具８による消去動作であると判定する。
【００９５】
図１８は、消し滓除去動作の判定処理（図１６のステップＳ１０３）の他の一例を示す流れ図である。図１８は、手書き入力装置１０を傾ける動作を消し滓除去動作とする場合の判定処理である。
【００９６】
消去具８による消去動作の特徴を備えた第１の動作の終了から指定時間（たとえば、５秒）以内に（ステップＳ１４１；Ｙｅｓ）、手書き入力装置１０を一定以上傾ける動作を受けた場合は（ステップＳ１４２；Ｙｅｓ）、返り値として消し滓除去動作有りをセットして（ステップＳ１４３）本処理を終了する。
【００９７】
第１の動作の終了から指定時間以内に手書き入力装置１０を一定以上傾ける動作を受けない場合は（ステップＳ１４１；Ｎｏ、Ｓ１４２；Ｎｏ）、返り値として消し滓除去動作なしをセットして（ステップＳ１４４）本処理を終了する。
【００９８】
なお、消去具８による消去動作の特徴を有する動作(推定消去動作)が複数個所で続けて行われた場合に、その中の最後に受けた推定消去動作から一定時間以内に手書き入力装置１０を一定以上傾ける動作を受けた場合は、それら複数の推定消去動作のすべてを消去具８による消去動作であると判定する。
【００９９】
次に、消去具８による消去動作か否かを、さらに別の判定条件を加味して判定する場合の動作を説明する。
【０１００】
具体的には、圧力検出パネル部１１の出力から得られた第１の接触体に関する第１の検出情報と、これと同時に圧力検出パネル部１１が検出した第２の接触体に関する第２の検出情報とに基づいて、第１の接触体の種類（消去具８か否か等）を判定する。
【０１０１】
たとえば、第１の検出情報が示す第１の接触体の特徴と、第２の検出情報が示す第２の接触体の特徴と、第１の接触体と第２の接触体との相対位置とに基づいて、第１の接触体の種類を判定する。
【０１０２】
より詳細には、第１の検出情報が示す第１の接触体の特徴が消去具８の特徴と一致し、第２の検出情報が示す第２の接触体の特徴が消去具８を使う際にシート５を押さえる手の特徴と一致し、かつ第１の接触体と第２の接触体が所定距離以内にある場合に、第１の接触体を消去具と判定する。
【０１０３】
ここで、消去具８の特徴には、第１の接触体が往復運動する、または、第１の接触体が同じあるいは近接した一定範囲の場所で同一方向へ繰り返し移動するという動きの特徴が含まれる。また、シート５を押さえる手の特徴には、第２の接触体が、一定以上の接触面積かつ一定以上の圧力でシート５を押圧して静止している、という特徴が含まれる。
【０１０４】
一定以上の接触面積とは、手の指に対応する面積以上である。また、一定以上の圧力は、一方の手で筆記具６を持って文字等を手書きする場合に他方の手の指がシート５を押さえる圧力よりも強い圧力、すなわち、一方の手で消去具８を持って文字等を消す場合に他方の手の指がシート５を強く押さえる圧力に相当する圧力である。
【０１０５】
図１９、図２０は、接触体による接触を検出した手書き入力装置１０の動作を示す流れ図である。手書き入力装置１０のＣＰＵ１２は、圧力検出パネル部１１が出力するデータを入力する（ステップＳ２０１）。このデータから圧力検出パネル部１１の検出面１１ａを押下している各接触体の接触面積、圧力、動きなどの検出情報を取得する（ステップＳ２０２）。
【０１０６】
次に、各接触体について、面積と圧力の大小を判定する。ここで、着目する接触体を第１の接触体とする。第１の接触体が面積小かつ圧力大ならば（ステップＳ２０３；ＹｅｓかつステップＳ２０４；Ｙｅｓ）、第１の接触体の種類を筆記具６と判定し、入力モードとしてペンモードをセットして（ステップＳ２０５）、本処理を終了する。
【０１０７】
面積小は、図７の領域Ａ２のうち領域Ｂ２に含まれない範囲とする。圧力大は、図６の領域Ａ１のうち領域Ｂ１に含まれない範囲とする。
【０１０８】
面積大かつ圧力小ならば（ステップＳ２０３；ＹｅｓかつステップＳ２０４；Ｎｏ）、第１の接触体の種類を手のひらと判定し、入力モードとして手のひらモードをセットして（ステップＳ２０６）、本処理を終了する。
【０１０９】
面積大は、図７の領域Ｄ２のうち領域Ｃ２に含まれない範囲とする。圧力小は、図６の領域Ｄ１のうち領域Ｃ１に含まれない範囲とする。
【０１１０】
面積小かつ圧力大でなく、かつ面積大かつ圧力小でない場合は（ステップＳ２０３；Ｎｏ）、単独点の検出かつ面積中かつ圧力中かつ動きありの条件を満たすか否かを判定する（ステップＳ２０７）。第１の接触体の特徴が前述の条件を満たす場合は（ステップＳ２０７；Ｙｅｓ）、第１の接触体の種類を何らかの操作を行う指と判定し、入力モードとして指モードをセットして（ステップＳ２０８）、本処理を終了する。
【０１１１】
単独点の検出とは、同時に２以上の接触体を検出していない場合である。すなわち、指だけがタッチしており、手の平やペンなどが同時にタッチしていない状態である。面積中は、面積大の下限より面積が小さくかつ面積小の上限より面積が大きい範囲の面積である。面積中は、指、消しゴムが取り得る面積である。圧力中は、圧力大の下限より圧力が小さくかつ圧力小の上限より圧力が大きい範囲の圧力である。指、消しゴムが取り得る圧力である。指モードは、指によるフリック操作などを想定している。
【０１１２】
前述の条件を満たさない場合は（ステップＳ２０７；Ｎｏ）、第１の接触体が往復運動や一定方向への繰り返し移動を行っているか否かを判定する（ステップＳ２０９）。該当する場合は（ステップＳ２０９;Ｙｅｓ）、さらに、第１の接触体の動きが消去具８に特有の動きか否かを判定する(ステップＳ２１０)。すなわち、同じ箇所あるいは近接した一定の領域内での往復運動、あるいは、同じ場所あるいは近接した一定の領域内で同一方向へ繰り返し移動する動きのいずれかに該当するか否かを判定する。
【０１１３】
消去具８に特有の動きでなければ（ステップＳ２１０；Ｎｏ）、第１の接触体の種類を筆記具６と判定し、入力モードとしてペンモードをセットして（ステップＳ２１１）、本処理を終了する。
【０１１４】
消去具８に特有の動きと同様の動きは、図２６の例のように、筆記具６に現れることもある。そこで、消去具８に特有の動きである場合は（ステップＳ２１０；Ｙｅｓ）、第１の接触体の近傍（たとえば、１０ｃｍ以内等）に面積中かつ圧力中の大かつ静止している第２の接触体があるか否かを判定する（ステップＳ２１２）。
【０１１５】
圧力中の大とは、圧力中の領域の中で、図６の領域Ｅａとその前後所定範囲である。該当する第２の接触体がある場合、すなわち、消去具８に特有の動きをする第１の接触体の近く（１０ｃｍ以内）に第２の接触体としてシート５を強く(一定以上の圧力で)押さえる手の指が存在する場合は(ステップＳ２１２；Ｙｅｓ)、さらに前述した消し滓除去動作があるか否かを判定する（ステップＳ２１３）。消し滓除去動作があれば（ステップＳ２１３；Ｙｅｓ）、第１の接触体の種類を消去具８と判定し、入力モードとして消しゴムモードをセットして（ステップＳ２１４）、本処理を終了する。
【０１１６】
ステップＳ２１２でＮｏ、またはＳ２１３でＮｏの場合は、第１の接触体が面積小かつ圧力大であるか否かを判定する(ステップＳ２１５)。面積小かつ圧力大ならば（ステップＳ２１５；Ｙｅｓ）、第１の接触体の種類を筆記具６と判定し、入力モードとしてペンモードをセットして（ステップＳ２１６）、本処理を終了する。
【０１１７】
面積小かつ圧力大、でなければ（ステップＳ２１５；Ｎｏ）、第１の接触体の種類を何らかの操作を行う指と判定し、入力モードとして指モードをセットして（ステップＳ２１７）、本処理を終了する。
【０１１８】
第１の接触体が往復運動や一定方向への繰り返し移動を行っていない場合は（ステップＳ２０９；Ｎｏ）、面積小かつ圧力大、であるか否かを判定する（ステップＳ２１８）。第１の接触体が面積小かつ圧力大の特徴を有する場合は（ステップＳ２１８；Ｙｅｓ)、第１の接触体の種類を筆記具６と判定し、入力モードとしてペンモードをセットして（ステップＳ２１９）、本処理を終了する。
【０１１９】
ステップＳ２１８でＮｏの場合は、第１の接触体の種類を何らかの操作を行う指と判定し、入力モードとして指モードをセットして（ステップＳ２２０）、本処理を終了する。
【０１２０】
上記のようにして、第１の接触体の種類を判定して入力モードがセットされたら、該セットされた入力モードで、第１の接触体の検出情報に対する処理を実行する。以下、第１の接触体の検出情報に対する処理の内容を入力モード別に説明する。
【０１２１】
図２１は、消しゴムモードでの処理を示している。第１の接触体である消しゴムの接触位置を示す座標データを取得する（ステップＳ３０１）。ここでは、座標データは、接触範囲の中心位置を示す。次に、第１の接触体である消しゴムの接触面積を示す情報を取得する（ステップＳ３０２）。こうして、消去具による消去動作に対応する入力情報が取得される。第１の接触体の座標と接触面積から、第１の接触体が接触している領域を特定し、その領域に存在する描画データを取得し（ステップＳ３０３）、該描画データを消去する（ステップＳ３０４）。次に、消去後の描画データに基づく表示を行って（ステップＳ３０５）、本処理を終了する。この表示は、別途指定されたディスプレイに描画データを転送し、該ディスプレイに表示させる、あるいは、手書き入力装置１０が表示部を備える場合は該表示部に表示する。
【０１２２】
図２２は、ペンモードでの処理を示している。第１の接触体であるペンの接触位置を示す座標データを取得する（ステップＳ４０１）。次に、第１の接触体であるペンの接触面積を示す情報を取得する（ステップＳ４０２）。第１の接触体の座標と接触面積から、第１の接触体が接触している領域（描画ポイント）を特定する（ステップＳ４０３）。１つ前の描画ポイントの座標と面積データを取り出す(ステップＳ４０４)。そして、前回の描画ポイントと今回の描画ポイントをペン先の面積データを参照して一本の線になるように繋げる（ステップＳ４０５）。さらに前の描画データも踏まえて、スムージング処理をかけて、曲線らしく（あるいは直線らしく）描画データを再構成する(ステップＳ４０６)。こうして、筆記具による記入動作に対応する入力情報が取得される。
【０１２３】
次に、再構成後の描画データに基づく表示を行って（ステップＳ４０７）、本処理を終了する。この表示は図２１のステップＳ３０５と同様に行う。
【０１２４】
図２３は、指モードでの処理を示している。第１の接触体である指の接触位置を示す座標データを取得する（ステップＳ５０１）。次に、１つ前の指データを取り出す(ステップＳ５０２)。１つ前の指データが示す接触位置と今回の接触位置とを比較して、指に動きがあるか否かを判定する（ステップＳ５０３）。指の接触位置が静止している場合は（ステップＳ５０３；Ｎｏ）、指の静止データをセットして（ステップＳ５０６）、本処理を終了する。
【０１２５】
指に動きがある場合は（ステップＳ５０３；Ｙｅｓ）、該指の動きが、予め定めたジェスチャー動作と一致するか否かを判定する（ステップＳ５０４）。指の動きがジェスチャー動作であれば（ステップＳ５０４；Ｙｅｓ）、ジェスチャーデータをセットして（ステップＳ５０５）、本処理を終了する。指の動きがジェスチャー動作でなければ（ステップＳ５０４；Ｎｏ）、意味のない指による押圧であったと判定して、本処理を終了する。
【０１２６】
図２４は、手のひらモードでの処理を示している。第１の接触体である手のひらの接触位置を示す座標データを取得する（ステップＳ６０１）。次に、第１の接触体である手のひらの接触面積を示す情報を取得する（ステップＳ６０２）。第１の接触体である手のひらの近傍には、ペンなどの他の接触体は無いはずなので、手のひらの存在する領域の近傍の押圧箇所のデータをノイズとして除去して（ステップＳ６０３）、本処理を終了する。
【０１２７】
以上のように、本実施の形態に係る手書き入力装置１０では、第１の接触体の特徴のみに基づく判定では、第１の接触体が筆記具６か消去具８かが紛らわしいような場合に、第１の接触体に関する検出情報と第２の接触体に関する検出情報とに基づいて、第１の接触体の種類を判定するので、より高い精度で第１の接触体の種類を特定することができる。また、第１の接触体による動作が消去具８による消去動作の特徴を有する推定消去動作の場合は、その後に消し滓除去動作が行われるか否かによって第１の接触体による動作が、消去具８による消去動作であったか否かを判定するので、他の接触体による動作を消去具８による消去動作と誤認する誤認率が低減する。
【０１２８】
手書き入力装置１０では、筆記具による記入動作と消去具による消去動作を適切に判別するので、記入動作と消去動作を繰り返すことでシート５に実際に描かれた内容と、手書き入力装置１０が取得したデータが示す内容を高い精度で一致させることができる。
【０１２９】
以上、本発明の実施の形態を図面によって説明してきたが、具体的な構成は実施の形態に示したものに限られるものではなく、本発明の要旨を逸脱しない範囲における変更や追加があっても本発明に含まれる。
【０１３０】
たとえば、実施の形態では、デジタル抵抗膜式の圧力検出パネル部１１を例示したが、押圧している場所、面積、圧力などの検知が可能であれば、他の方式でもかまわない。
【０１３１】
第１の接触体と第２の接触体に基づく判定は実施の形態で例示したものに限定されない。たとえば、図８に示すように、筆記具６で文字等を手書きする場合には、筆記具６を持つ手のひらによる押圧を受けるが、消去具８による消去動作では消去具８を持つ手は浮いた状態になる。そこで、第１の接触体の近傍（たとえば、７ｃｍ以内）に、筆記具６を持つ手の手のひらの特徴を有する第２の接触体が存在するか否かを、第１の接触体が筆記具６か消去具８かを判定する要素に加えてもよい。
【０１３２】
実施の形態では、第１の接触体に関する第１の検出情報と第２の接触体に関する第２の検出情報とから、第１の接触体が筆記具か消去具かを判定する例を示したが、判定の対象はこれに限定されない。たとえば、消しゴム等の消去具と指との識別に利用してもよい。
【０１３３】
本発明は、実施の形態で示した判定に関する手書き入力方法の発明とされてもよいし、シートを載置可能な検出面を備える圧力検出部と、前記圧力検出部からの出力を受け取る演算部と、前記検出面に対する特定の動作を検出する動作検出部と、を備える手書き入力装置の前記演算部に、実施の形態で示した手書き入力方法を実行させるプログラムの発明とされてもよい。また、圧力検出パネル部１１を備えた情報処理装置を手書き入力装置１０として機能させるプログラムとされてもよい。
【符号の説明】
【０１３４】
５…シート
６…筆記具
８…消去具
９…消去された部分
１０…手書き入力装置
１１…圧力検出パネル部
１１ａ…検出面
１２…ＣＰＵ
１３…フラッシュＲＯＭ
１４…ＲＡＭ
１５…記録媒体接続部
１６…通信部
２１…ＳＤカード
２２…データ保存サーバ
３１…ペン先
３２…ペンを持つ手の手のひら
３３…シートを押さえる手の指
３４…シートを押さえる手の手のひら
４１…消しゴムの接触部分
４３…シートを押さえる手の指
４４…シートを押さえる手の手のひら
４５…消しゴムの接触部分
５１…消しゴム推定領域
５２…消し滓を払い飛ばす動作で圧力が検知される領域
５３…消し滓を吹き飛ばす動作で圧力が検知される領域
Ａ１…筆記具が取り得る単位面積当たりの圧力の範囲
Ａ２…筆記具が取り得る面積の範囲
ＡＢ１…筆記具と消去具の重複する圧力の範囲
ＡＢ２…筆記具と消去具の重複する面積の範囲
Ｂ１…消去具が取り得る単位面積当たりの圧力の範囲
Ｂ２…消去具が取り得る面積の範囲
Ｃ１…指が取り得る単位面積当たりの圧力の範囲
Ｃ２…指が取り得る面積の範囲
Ｄ１…手のひらが取り得る単位面積当たりの圧力の範囲
Ｄ２…手のひらが取り得る面積の範囲
Ｅａ…消しゴムで消去動作を行う際にシートを押さえる手の指による単位面積当たりの圧力の範囲
Ｅｂ…筆記具で手書きする際にシートを押さえる手の指による単位面積当たりの圧力の範囲
【図１】
2016201003.tif 000003
【図２】
2016201003.tif 000004
【図３】
2016201003.tif 000005
【図４】
2016201003.tif 000006
【図５】
2016201003.tif 000007
【図６】
2016201003.tif 000008
【図７】
2016201003.tif 000009
【図８】
2016201003.tif 000010
【図９】
2016201003.tif 000011
【図１０】
2016201003.tif 000012
【図１１】
2016201003.tif 000013
【図１２】
2016201003.tif 000014
【図１３】
2016201003.tif 000015
【図１４】
2016201003.tif 000016
【図１５】
2016201003.tif 000017
【図１６】
2016201003.tif 000018
【図１７】
2016201003.tif 000019
【図１８】
2016201003.tif 000020
【図１９】
2016201003.tif 000021
【図２０】
2016201003.tif 000022
【図２１】
2016201003.tif 000023
【図２２】
2016201003.tif 000024
【図２３】
2016201003.tif 000025
【図２４】
2016201003.tif 000026
【図２５】
2016201003.tif 000027
【図２６】
2016201003.tif 000028